(57)【要約】【課題】ユーザーによる選曲操作時に操作性と検索性を向上する。【解決手段】複数のコンテンツおよび前記複数コンテンツのコンテンツ名を記憶している記憶部と、前記記憶部に記憶されているコンテンツのコンテンツ名を表示する第１の領域および第２の領域を有する表示部と、前記表示部の表示を制御する制御部とを備え、前記制御部は、前記第１の領域に複数コンテンツのコンテンツ名の先頭から所定数の文字列を表示する簡易一覧表示を表示し、前記簡易一覧表示において表示された文字列に対して、どのコンテンツを選択しているかを示す選択状態表示を表示すると共に、前記第２の領域に前記選択状態表示がされているコンテンツのコンテンツ名を表示する制御を行う。【選択図】図４
2007179609.tif 000002
【特許請求の範囲】
【請求項１】
複数のコンテンツおよび前記複数コンテンツのコンテンツ名を記憶している記憶部と、
前記記憶部に記憶されているコンテンツのコンテンツ名を表示する第１の領域および第２の領域を有する表示部と、
前記表示部の表示を制御する制御部とを備え、
前記制御部は、
前記第１の領域に複数コンテンツのコンテンツ名の先頭から所定数の文字列を表示する簡易一覧表示を表示し、前記簡易一覧表示において表示された文字列に対して、どのコンテンツを選択しているかを示す選択状態表示を表示すると共に、
前記第２の領域に前記選択状態表示がされているコンテンツのコンテンツ名を表示する制御を行う、
コンテンツ情報表示装置。
【請求項２】
前記制御部は、前記第２の領域に表示されているコンテンツ名の先頭から所定数の文字列と同一の文字列が、前記第１の領域において、所定数以上場連続して表示される、あるいは表示されようとする場合に、
前記第１の領域に、前記第２の領域に表示されているコンテンツ名のコンテンツが、前記連続する同一の文字列を持つコンテンツの並びの中で、相対的にどの位置にあるかを示す相対位置表示グラフを表示するように制御する請求項１記載のコンテンツ情報表示装置。
【請求項３】
前記制御部は、前記第１の領域に相対位置表示グラフを表示するように制御すると共に、前記連続する同一の文字列を表示するように制御する請求項２記載のコンテンツ情報表示装置。
【請求項４】
前記簡易一覧表示と前記相対位置表示グラフを切り替え可能な請求項２記載のコンテンツ情報表示装置。
【発明の詳細な説明】
【技術分野】
【０００１】
本発明は、音楽プレイヤーやビデオ再生装置など、タイトル表示及び選曲（選択再生）機構を持つ制御装置において、表示及びユーザー操作機構及び制御に関するものである。
【背景技術】
【０００２】
特許文献１にあるようにＭＤの登場以降、音楽プレイヤーにトラック名（曲名）表示が広く一般的に採用されているが、コストや実装面積などの制約で表示域が狭いため現在のトラック名を表示することは出来ても複数のトラック名の並びを表示する一覧表示に対応しているものはあまり多くない。特に図２のように表示領域が２〜３行程度しか確保されていないモバイル製品では表示域の狭さは深刻で、大抵が図１のように現在選択（または再生）中の１曲のみのトラック名と総曲数だけが表示されている。また特許文献２のようにキーワード検索などで選曲を可能とする方法が考案されている。
【特許文献１】特開平０５−３２５５１５号公報
【特許文献２】特開平０６−１１１５５０号公報
【発明の開示】
【発明が解決しようとする課題】
【０００３】
しかしながら、現在ではハードディスクや半導体メモリの採用による記憶容量の増大と圧縮技術の進歩によって収録可能曲数が従来の数１０曲から数１０００曲へと爆発的に増えているにもかかわらず、上のような非常に見通しが悪い１曲表示を基本とするユーザーインターフェースのままでは検索等の操作性の面で大きな問題がある。
【０００４】
実用的な一覧表示を行うために表示域を大きくするなどの方法も考えられるが、携帯性を維持するためには大きさに物理的な限界があり、さらに製造コストと消費電力の増大を招くため現実的でない場合が多い。また、キーワード検索で選曲を行うとすると、直感的でないため日常的に使用するには操作性以前の問題がある上に、キーワード等の表示域と文字入力可能な操作キーの両方が更に面積やコストを必要とするため、やはりこれも現実的ではない。
【０００５】
本発明は、前記従来の課題を解決するもので、携帯型オーディオプレイヤー等の２〜３行程度の小さな表示域を持つ装置においても良好な選曲時の操作性を提供することである。
【課題を解決するための手段】
【０００６】
本発明のコンテンツ情報表示装置は、複数のコンテンツおよび前記複数コンテンツのコンテンツ名を記憶している記憶部と、前記記憶部に記憶されているコンテンツのコンテンツ名を表示する第１の領域および第２の領域を有する表示部と、前記表示部の表示を制御する制御部とを備え、前記制御部は、前記第１の領域に複数コンテンツのコンテンツ名の先頭から所定数の文字列を表示する簡易一覧表示を表示し、前記簡易一覧表示において表示された文字列に対して、どのコンテンツを選択しているかを示す選択状態表示を表示すると共に、前記第２の領域に前記選択状態表示がされているコンテンツのコンテンツ名を表示する制御を行う。つまり、２〜３行程度の横長の表示域を持つオーディオプレイヤーにおいて、通常音楽再生時には従来と同じく図１のように最下行に再生中のトラック名を表示し、上の行は再生時間、再生状態、総トラック数、再生中のトラック番号、リピート動作等の再生情報の表示を行うが、再生リスト上のトラック名の並びをある程度ユーザー自身が把握している場合は選択中トラックの近傍の数トラックのトラック名の最初の数文字がまとめて見渡せるだけでも検索性が飛躍的に向上することを利用し、選曲操作時において図４のような最下行に選択中のトラック名を表示し、上の行に再生順を保持する再生リストで選択中のトラックを含む近傍の数トラックのトラック名のそれぞれ最初の１文字〜２文字程度を縦書きで表示して横方向に広がる簡易一覧表示を行う。
【０００７】
この構成によって、選択中のコンテンツの前後のコンテンツを、簡易一覧表示において見渡すことができる。
【０００８】
また、前記制御部を、前記第２の領域に表示されているコンテンツ名の先頭から所定数の文字列と同一の文字列が、前記第１の領域において、所定数以上場連続して表示される、あるいは表示されようとする場合に、第１の領域に、前記第２の領域に表示されているコンテンツ名のコンテンツが、前記連続する同一の文字列を持つコンテンツの並びの中で、相対的にどの位置にあるかを示す相対位置表示グラフを表示するように制御する構成とする、つまり、英語などの漢字圏に対して文字種が比較的少ない言語の場合は同一文字で始まるトラック名が多く存在する可能性があり、このような同一の文字で始まるトラック名が再生リスト上に連続して並ぶ場合などには、選曲操作時において図５のように同一でない文字で始まるトラック名の位置や再生リストの終端などの変化点までの再生リスト上の相対位置を示すグラフを表示する。
【０００９】
また、前記制御部を、前記第１の領域に相対位置表示グラフを表示するように制御すると共に、前記連続する同一の文字列を表示するように制御する構成とする構成とする、つまり、再生リストが単なる再生順序ではなくトラック名順で整列されていた場合には、同一文字で始まるだけではなくさらに先頭の複数文字が広範に一致することがあり、このような時には図６のように相対位置を示すグラフと一致部分の文字列を合わせて表示する。
【００１０】
また、前記簡易一覧表示と前記相対位置表示グラフを切り替え可能な構成とする、つまり、トラック名の先頭文字の一致等の如何に関わらずユーザー操作によって明示的に指示された場合には再生リストの表示を簡易一覧表示から変更し、図９のような次の変化点（例えば再生リストの終端やトラック名の場合と同様にアルバム名や作者名などで整列されている場合はその変化点など）までの再生リスト上の相対位置を示すグラフを表示する。
【００１１】
以上により本発明のポータブルメディアプレイヤー装置は、表示デバイス拡張などのコストアップを伴う既存のシステムのハードウェア変更を行わずに、選曲時の操作性と検索性の向上が得られる。
【発明の効果】
【００１２】
本発明は既存の表示及びキー入力装置をそのまま流用し、新たなコスト及び消費電力の増加無しに選曲時操作性・検索性を向上させのユーザー負担を軽減するという利点がある。
【発明を実施するための最良の形態】
【００１３】
以下、本発明を実施するための最良の形態について、図面を参照しながら説明する。
【００１４】
（実施の形態１）
図３は、本発明の実施の形態１における携帯オーディオプレイヤーのブロック図である。図３において、操作部１２は、本装置の動作を決定するための操作を行う各種操作キー（図２の２〜４参照）を含む。表示部５は、ユーザーに対して表示される液晶ディスプレイや有機ＥＬディスプレイなどのディスプレイである。メモリ１１は、音楽やビデオなどのコンテンツデータやタイトル名やアルバム名などのコンテンツ情報を保存するための記憶部である。メモリ１１としては、半導体メモリや、ハードディスクなどがある。また、メモリ１１は、本装置の内部に内蔵している内蔵メモリであっても、着脱可能なメモリカードなどであってもよい。出力部１３は、メモリ１１に記憶されているコンテンツの音声などの出力を行う。プロセッサ１０は、操作部１２からの入力や記憶部１１に記憶されているコンテンツおよびコンテンツ情報を処理して表示部５の表示を制御したり、出力部１３が音声出力を行うように制御したりする制御部である。
【００１５】
なお、実施の形態１では、本発明の装置を携帯オーディオプレイヤーとしているが、内部に記憶しているコンテンツのタイトルなどのコンテンツ情報を表示するためのコンテンツ情報表示装置であれば良い。
【００１６】
図２は、本発明の実施の形態１の携帯オーディオプレイヤーの外形図である。本発明の実施の形態１の携帯オーディオプレイヤーは、プロセッサ１０や、電池や、音楽データを格納するメモリ１１などを含む本体及び筐体１と主に早送り／巻き戻しや選曲時の送り／戻しや音量の大／小などを入力する上下左右４方向の方向キー２、再生／一時停止やメニューでの決定を入力する再生キー３、停止やメニューでのキャンセルを入力する停止キー４、そしてコンテンツ情報を表示するための表示部５からなる。
【００１７】
図１と図４〜図５は表示部５に表示する画面を示している。この内、図１は通常音楽再生時の画面表示を示しており、再生停止状態表示６、再生時間表示７、現在／総トラック数表示８、そして再生／選択中トラック名表示９からなる。図１２は携帯オーディオプレイヤー内のメモリに格納されている総音楽データのプレイリストを示す図である。
【００１８】
通常、音楽再生時など選曲状態ではない場合の表示部５に表示される画面は図１のような通常音楽再生時の画面が表示されている。再生停止状態表示６は再生時は三角形、停止時は四角形、早送り／巻き戻し時は２つの三角形の表示がされ、再生時間表示７は再生中のトラックでの再生位置を時間で表示し、現在／総トラック数表示８は再生中のトラック番号と総トラック数をそれぞれ表示し、再生／選択中トラック名表示９は現在再生中のトラックのトラック名を表示する。
【００１９】
この状態でユーザーが再生中に方向キー２を左または右に操作するか、停止キー４を押し再生を停止すると選曲状態に移る。なお、選曲状態（選択状態）に移るための選曲モードキーを設けることによって、選曲状態に移っても良いし、複数キーの組み合わせによって選曲状態に移っても良い。このとき、従来の装置の表示形式は、現在／総トラック数表示８と再生／選択中トラック名表示９のみが選曲操作の左右入力に従って変化するのみであった。
【００２０】
しかし、本発明の携帯オーディオプレイヤーでは、選曲状態に移ると、表示部５の表示を制御部が図４の形式で表示するように制御する。図４は、表示部５の画面表示を示しており、表示部５は第１の領域４１と第２の領域４２に区別される。これは、第１の領域に表示される現在／総トラック数表示８と、第２の領域に表示される再生／選択中トラック名表示９については従来と同様であるが、選曲状態に移ると、第１の領域４１である上段に現在のトラックを含む再生リスト上の前後の近傍のトラックの先頭の１文字を並べて一覧表示し、さらに現在のトラック名の位置に該当する文字を明暗反転、点滅、太字強調などの選択状態表示を示す点が従来と異なっている。
【００２１】
選曲状態において、方向キー２を右方向に入力すると現在選択中のトラックが１つ次のものになり、現在／総トラック数表示８及び再生／選択中トラック名表示９、そして１文字一覧表示で選択状態表示される文字がそれぞれ１つ次のものに変化する。逆に方向キー２を左方向に入力すると現在選択中のトラックが１つ前のものになり、同様に対応するトラック表示になる。方向キー２を操作し、任意のトラックを選択した状態で再生キー３を入力し、再生するトラックを決定する。
【００２２】
本実施の形態１の携帯オーディオプレイヤーでは、選択状態表示の位置を右に移動しているが、一覧表示を左にずらして、選択状態表示を中央に配置する表示方法でも構わない。ただし、低消費電力の液晶画面では、反応速度が遅く残像が出やすいため、一度に画面表示の書き換える面積を少なくする表示形態の方が良く、選択状態表示をずらす表示方法が好ましい。また、表示領域が３行以上確保できる場合は、図４における１行目のトラック先頭の１文字を並べた一覧表示を拡張し、図５のように表示領域の行数に合わせて先頭の２文字以上を並べた一覧表示を第１の領域４１として用いることが可能である。この場合も、最上行と最下行の動作は２行表示の場合と同様であり、中間の行は選択中のトラックの近傍のトラックの先頭２文字目以降の一覧表示である以外は最上行とほぼ同様に動作する。
【００２３】
図１６は本発明の実施の形態１において、ユーザーが行う事前の準備についてのフローチャートである。ユーザーが携帯オーディオプレイヤーで楽曲を再生可能となる為には、ユーザーはＣＤ等の記録メディア、またはインターネット網を利用してのダウンロードによって楽曲を購入（１００）し、パソコン等に音楽ライブラリを構築（１０１）する。そる後、再生リストや転送リストと呼ばれる携帯オーディオプレイヤーのメモリ１１に書き込みたい楽曲のリストを作成（１０２）し、実際に携帯オーディオプレイヤーのメモリ１１に楽曲コンテンツを書き込む（１０３）作業が必要となる。このため、ほとんどの場合にユーザー自身がダウンロードやリッピング等の過程でオーディオプレイヤーに収録する曲目を決定しており、再生リスト上のトラック名の並びはある程度ユーザー自身が把握していると考えられる。
【００２４】
同様に同一アルバムや同一作者などの分類順に並べられている事も多く、この場合にも再生リスト上のトラック名の並びはある程度ユーザー自身が把握しているという前提が成り立つ。このため、選択中トラックの近傍の数トラックのトラック名の最初の数文字がまとめて見渡せるだけでも検索性が飛躍的に向上する。例えば図１２のような曲目で収録した場合を考える。選曲時でも図１の形式で表示を行う従来の装置では、ユーザーは図１７の従来の選曲方法を示すフローチャートで示される手順で選曲を行う。
【００２５】
まず、選択中トラック名表示９を確認（１１１）し、所望の曲目かを判断（１１２）し、所望の曲目ではなかった場合は方向キー２を左または右に操作しトラックを送り（１１４）、更に次の曲目を確認する（１１１）。所望の曲目であった場合は、再生キー３を操作して再生を開始する（１１３）。この従来の方法では、曲目が所望のものか１曲ずつ選択中トラック名表示９を確認（１１１）しなくてはならないため、確認中の曲と所望の曲とのリスト上での位置関係に比例して大きな時間が必要となる。
【００２６】
本発明の実施の形態１の携帯オーディオプレイヤーにおける表示部５の第１の領域に表示される簡易一覧表示がある場合には、収録曲を決定した本人であれば大抵細かな並び順などは記憶が曖昧であっても先頭の１文字さえ解かれば容易にトラック名を類推できると仮定できるため、例えば図１２において「ミ」ではじまる曲名は「ミセス・ガンブルとチーズベイグル」しか存在せず、図４のような１文字一覧表示において右端の「ミ」の文字が９番トラックの「ミセス・ガンブルとチーズベイグル」を示すものであることが類推できる。このため、６番トラックの「ダイナマイトの元気」選択状態から方向キー２を右に３回操作する間に選択中トラック名表示９の内容を１曲ずつ確認する必要は無く、その分高速且つ容易に選曲が行え、また機器側の表示処理においても、通常はユーザーが視認可能なように連続した曲送りの場合でも挿入していた表示の待ち時間を削減することが出来る。
【００２７】
同様に少なくとも１文字一覧表示に所望のトラック名の先頭１文字が無ければ選択中トラック名表示９の内容を確認する必要は無く、図１８の本発明の選曲方法を示すフローチャートに示すように、ユーザーは１文字一覧表示の９文字を確認（１１５）し、これらの内に１つも所望の曲目の頭文字がない場合は高速にトラックを送り（１１７）、所望の頭文字があった場合は、その曲名についてのみ通常の選曲と同様に曲目を確認（１１１）する。当然、高速送り中はユーザーは１曲ずつのタイトル名表示には注目しておらず、機器の表示も視認性を無視して高速に書き換えられる（または意味のある表示自体を行わないこともありえる）。
【００２８】
これにより、一覧表示可能なトラック数に応じて検索時間が短縮できる。例えば１４番トラック「銀のハーモニカ」を選曲したい場合には、１文字一覧表示に「銀」の文字が現れるまでトラック名表示９の内容を無視し１文字一覧表示のみを注目して、方向キー２を右方向に押し続けて高速にトラックを送ることが出来、これにより選曲のためのユーザーの負担を軽減し、また視認性を無視して機器の表示待ち時間を削減できる効果もある。
【００２９】
以上のように、実施の形態１のコンテンツ情報表示装置（携帯オーディオプレイヤー）は、表示部５の第１の領域に複数コンテンツのコンテンツ名の先頭から所定数の文字を表示し、第１の領域に表示される複数コンテンツの内の所定のコンテンツ名を第２の領域に表示するように構成することにより、多数の楽曲コンテンツが記録されていたとしても任意の楽曲の高速な検索が可能になる。
【００３０】
（実施の形態２）
本発明の実施の形態２の携帯オーディオプレイヤー（コンテンツ情報表示装置）について説明する。なお、実施の形態１のコンテンツ情報表示装置と同様の構成については説明を省略する。
【００３１】
図６〜図１１は、実施の形態２の携帯オーディオプレイヤーの表示部５に表示される選曲状態における表示画面をしめしている。図１３は携帯オーディオプレイヤー内のメモリに格納されているアルバムを示す図である。また、実施の形態２の携帯オーディオプレイヤーのメモリ１１には図１２と図１３に示す２つのアルバムの楽曲が記憶されており、図１４は、メモリ１１に格納されている音楽データの再生順序を示すプレイリストである。そして、図１５はコンテンツ再生時の実施の形態２の動作順序を示すフローチャートである。以下、これらの図および実施の形態１で示した図を参照して説明する。
【００３２】
実施の形態１の携帯オーディオプレイヤーにおいて、図１２のような曲目がメモリ１１に記憶されている場合には問題ではないが、図１３のような曲目がメモリ１１に記憶されている場合には、実施の形態１の携帯オーディオプレイヤーの１文字一覧表示に表示される文字が全て同一になってしまい、一覧の意味を成さなくなってしまう。
【００３３】
実施の形態２の携帯オーディオプレイヤーでは、このような同一文字で始まるトラック名が一定数以上連続する場合には、制御部の制御により、選曲状態での表示画面を図６の相対位置表示の形式で第１の領域４１に表示する。例えば、図４の第１の領域４１に表示している簡易一覧表示において表示しようとする複数コンテンツの所定文字列が全て同じになってしまうときに、実施の形態１の簡易一覧表示ではなく、実施の形態２の相対位置表示グラフを用いて表示を行う。
【００３４】
従来は、現在トラック番号の位置を視覚的に示すために、図８に示すように、総トラック数に対する現在トラック番号の位置を示す絶対位置表示を行っていた。この絶対位置表示に対して、相対位置表示とは、第１の領域４１の左端に現在選択中あるいは再生中の楽曲の先頭の１文字を表示し、第１の領域４１の中央には第１の領域４１の左端に表示した文字と先頭の１文字が共通しているメモリ１１内に記憶されている楽曲を連続して並べたときに、選曲状態において現在選択中の楽曲がどの位置にあるのかを相対的に示したものである。
【００３５】
例えば、図６では、図５のアルバムの７番トラック「ｌｉｂｅｒｔｙ」は「ｌ」で始まるトラック名を持つ並びの中でおよそ５０％の位置にあり、第１の領域４１の左端に先頭文字の「ｌ」の表示、中央に相対位置表示でおよそ５０％の位置を示すグラフ、右端にトラック番号と総トラック数を示す７／１５の表示、第２の領域４２にトラック名の「ｌｉｂｅｒｔｙ」の表示を行う。この相対位置を示すグラフ表示により、実施の形態１の携帯オーディオプレイヤーのような単に「ｌ」が画面上に並ぶときに比べて見通しが良くなり、ユーザーは選曲操作時にトラック名表示９の内容を無視し方向キー２を右方向に押したままで高速にトラックを送ることが出来るかどうかを判断しやすくなる。このとき、表示部５の横方向の表示サイズによっては、図７ように先頭の１文字だけでなく２文字あるいはそれ以上について、共通一致部分を左端に表示し、同一先頭文字列並びの相対位置を示すグラフを表示することが可能である。左端に表示する文字数に依存してグラフの表示幅（ドットマトリクス表示装置の場合はドット数）が小さくなり、あまり文字数が多くなるとグラフの視認性が明らかに低下してしまうため、あまり長い一致文字列の表示は現実的ではないが、先頭の複数文字によって相対位置グラフ表示をすることで、先頭１文字によってのみ相対位置を表示するよりもさらに見通しが改善する場合がある。
【００３６】
また、図１２、図１３のいずれの曲目も格納し図１４で示される再生リストをメモリに保持する携帯オーディオプレイヤーの場合等には、１文字一覧表示に表示される文字の連続によってではなく、ユーザー操作によって同様の相対位置グラフを表示することも可能であり、本発明の実施の形態２の携帯オーディオプレイヤーでは、選曲状態で方向キー２の上下方向を入力することにより、図８の形式のアルバム順で整列されたトラックの絶対位置グラフ表示、図９の形式のアルバム順で整列されたトラックのアルバム内相対位置グラフ表示、図１０の形式のアルバム順で整列された総トラックのトラック名の１文字一覧表示、図１１の形式の図１４で示す再整リスト（プレイリスト）の再生順１文字一覧表示の４種類の選曲・表示方法を切り替えて選択する。
【００３７】
アルバム順で整列されたトラックの絶対位置グラフ表示では図８のように第１の領域４１の左に全体を示すアイコン表示、中央に絶対位置を示すグラフ、右に現在／総トラック数、そして第２の領域４２に選択中トラック名の表示を行っている。アルバム順で整列されたトラックのアルバム内での相対位置グラフ表示の場合には図９のような表示となり、第１の領域４１の左にアルバム名、中央にアルバム内での相対位置を示すグラフ、右に現在／総トラック数、そして第２の領域４２にトラック名の表示を行っている。図１０の再生順１文字一覧表示では、図４のアルバム（図１２、図１３参照）順で整列されたトラック名の１文字一覧表示と同様の形式である。図１１の再生順１文字一覧表示では、図４、図１０のアルバム順で整列されたトラック名の１文字一覧表示と同様のトラック名の１文字一覧表示の形式ではあるが、一覧に用いるリストが全曲リストではなく、図１４のプレイリストを用いている点が異なる。
【００３８】
これにより再生順やアルバム順が文字順（Ａ→Ｚ、あ→ん等）で並んでいない場合でも、選曲時の選曲・表示方法を切り替えることで、高速に選曲が可能となるほか、メモリ１１内の楽曲全体とアルバム内の位置表示グラフを切り替えて使用することにより単なる数値表示によるトラック位置表示に比べて直感的な操作性が提供できる。
【００３９】
このときの携帯オーディオプレイヤーの動作は、図１５のフローチャートで示され、選曲状態に移るためのユーザー入力があったかを判定し（１０４）、ユーザー入力が無く通常再生状態であれば再生を継続（１０５）し、ユーザー入力があり選曲状態であればユーザー入力による選曲状態表示の切り替えがあったかを判定（１０６）し、ステップ１０６で選曲状態表示の切り替えがあれば表示部５の表示を選択された各表示方法に切り替える（１０７）。その後、ユーザー入力により選曲指示があれば（１０８）選択された楽曲を再生する。（１０９）。
【００４０】
以上により本発明のポータブルメディアプレイヤー装置は、既存のシステムのハードウェア変更を行わずに、選曲時の操作性の向上が得られ、また、本発明の実施の形態１や実施の形態２の携帯オーディオプレイヤーと異なる表示域の大きさや画面左右比率を持つシステムや、オーディオプレイヤー以外のコンテンツ一覧表示が有効な別のシステムにも本発明の機能が流用できることは明らかである。
【産業上の利用可能性】
【００４１】
本発明にかかるコンテンツ情報表示装置は、コンテンツ選択時のユーザー操作性が向上するので、音楽プレイヤーやビデオ再生装置など、タイトル表示及び選曲（選択再生）機構を持つ装置において、表示及びユーザー操作機構及び制御に関するものとして有用である。
【図面の簡単な説明】
【００４２】
【図１】本発明の実施の形態１に於ける再生時液晶表示画面図
【図２】本発明の実施の形態１に於ける外形図
【図３】本発明の実施の形態１に於けるシステム構成図
【図４】本発明の実施の形態１に於ける簡易一覧２行表示画面図
【図５】本発明の実施の形態１に於ける簡易一覧３行表示画面図
【図６】本発明の実施の形態２に於ける相対位置グラフ表示画面図
【図７】本発明の実施の形態２に於ける見出し付き相対位置グラフ表示画面図
【図８】本発明の実施の形態２に於ける絶対位置グラフ表示画面図
【図９】本発明の実施の形態２に於けるアルバム内相対位置グラフ表示画面図
【図１０】本発明の実施の形態２に於けるアルバム順簡易一覧表示画面図
【図１１】本発明の実施の形態２に於ける再生順簡易一覧表示画面図
【図１２】本発明の実施の形態１に於ける収納アルバム「ちさぽんのべすと」曲目一覧図
【図１３】本発明の実施の形態２に於ける収納アルバム「英和辞典？」曲目一覧図
【図１４】本発明の実施の形態２に於けるプレイリスト図
【図１５】本発明の実施の形態２に於ける制御フローチャート
【図１６】本発明の実施の形態１に於けるユーザー作業フローチャート
【図１７】本発明の実施の形態１に於けるユーザー選曲フローチャート
【図１８】本発明の実施の形態１に於ける一覧表示時選曲フローチャート
【符号の説明】
【００４３】
１    携帯オーディオプレイヤー
２    方向キー
３    再生／決定キー
４    停止／キャンセルキー
５    表示部
１０    プロセッサ
１１    メモリ
１２    操作部
１３    出力部
４１    第１の領域
４２    第２の領域
【図１】
2007179609.tif 000003
【図２】
2007179609.tif 000004
【図３】
2007179609.tif 000005
【図４】
2007179609.tif 000006
【図５】
2007179609.tif 000007
【図６】
2007179609.tif 000008
【図７】
2007179609.tif 000009
【図８】
2007179609.tif 000010
【図９】
2007179609.tif 000011
【図１０】
2007179609.tif 000012
【図１１】
2007179609.tif 000013
【図１２】
2007179609.tif 000014
【図１３】
2007179609.tif 000015
【図１４】
2007179609.tif 000016
【図１５】
2007179609.tif 000017
【図１６】
2007179609.tif 000018
【図１７】
2007179609.tif 000019
【図１８】
2007179609.tif 000020